【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
第１の定着部材と第２の定着部材との間に形成されるニップ部で、転写材を加熱、加圧しながら狭持搬送する定着装置と、
前記第１の定着部材と前記第２の定着部材とが互いに押し付けられる加圧状態と前記加圧状態が解除される加圧解除状態とを選択的に切り換える加圧手段と、
前記加圧手段が前記加圧状態にあることを検出する加圧状態検出手段と、
転写材を加熱する前記定着装置の発熱部材の温度を検出する温度検出手段と、
前記発熱部材へ電力を供給する電力供給手段と、
前記加圧手段に前記加圧状態への切り換え指示が行われ、前記加圧状態検出手段により前記加圧手段が前記加圧状態にあることが検出されている状態で、前記電力供給手段から前記発熱部材へ電力供給開始が行われて所定時間が経過した後に、前記温度検出手段により検出される温度が所定温度を越えている場合は、前記電力供給手段から前記発熱部材への電力供給を停止させる制御手段と
を備えることを特徴とする画像形成装置。
【請求項２】
前記温度検出手段は、前記発熱部材の長手方向の中央位置付近に配置されていることを特徴とする請求項１に記載の画像形成装置。
【請求項３】
前記温度検出手段は、前記発熱部材の長手方向における異なる複数の位置にそれぞれ配置されている複数の温度センサを含み、
前記制御手段は、前記電力供給手段から前記発熱部材への電力供給開始から所定時間が経過した後に、前記複数の温度センサのうち、いずれか１つの温度センサにより検出された温度が前記所定温度を超えると、前記電力供給手段から前記発熱部材への電力供給を停止させることを特徴とする請求項１に記載の画像形成装置。
【請求項４】
前記温度検出手段は、前記発熱部材の長手方向における異なる複数の位置にそれぞれ配置されている複数の温度センサを含み、
前記制御手段は、前記電力供給手段から前記発熱部材への電力供給開始から所定時間が経過した後に、前記複数の温度センサにより検出された温度の平均値が前記所定温度を超えると、前記電力供給手段から前記発熱部材への電力供給を停止させることを特徴とする請求項１に記載の画像形成装置。
【請求項５】
第１の定着部材と第２の定着部材との間に形成されるニップ部で、転写材を加熱、加圧しながら狭持搬送する定着装置と、
前記第１の定着部材と前記第２の定着部材とが互いに押し付けられる加圧状態と前記定着装置の長手方向の一端側から加圧状態を解除した加圧解除状態とを選択的に切り換える加圧手段と、
前記加圧手段が前記加圧状態にあることを検出する加圧状態検出手段と、
転写材を加熱する前記定着装置の発熱部材の長手方向における異なる複数の位置にそれぞれ配置されている複数の温度センサを有する温度検出手段と、
前記発熱部材へ電力を供給する電力供給手段と、
前記加圧手段に前記加圧状態への切り換え指示が行われ、前記加圧状態検出手段により前記加圧手段が前記加圧状態にあることが検出されている状態で、前記複数の温度センサのそれぞれの検出温度の温度差が所定値を超えると、前記電力供給手段から前記発熱部材への電力供給を停止させる制御手段と、
を有することを特徴とする画像形成装置。
【請求項６】
前記加圧状態検出手段は、前記加圧手段による前記加圧状態と前記加圧解除状態の切り換えに連動する連動部材を有し、
前記加圧状態検出手段は、前記連動部材が所定の位置にあることに基づいて、前記加圧手段が前記加圧状態にあることを検出することを特徴とする請求項１または５に記載の画像形成装置。
【請求項７】
前記電力供給手段は、前記加圧状態検出手段により前記加圧手段が前記加圧解除状態にあることが検出されることに応じて、前記発熱部材への電力供給路を遮断する保護手段を有することを特徴とする請求項６に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、画像形成装置に関する。
【手続補正４】
【補正対象書類名】明細書
【補正対象項目名】００１７
【補正方法】変更
【補正の内容】
【００１７】
上記電力遮断回路を有する定着装置において、何らかの異常が発生し、実際には定着ベルトの加圧が解除されているにも拘わらず、そのことが検出されない場合がある。この場合、定着ベルトの加圧が解除されているにも拘わらず、電力遮断回路により、ヒータへの電力供給が遮断されず、ヒータへの電力供給が行われると、定着ベルトおよびヒータにダメージを与えることになる。
【手続補正５】
【補正対象書類名】明細書
【補正対象項目名】００１８
【補正方法】変更
【補正の内容】
【００１８】
本発明の目的は、実際には加圧が解除されている定着部材が加圧されている状態にあると検出されて発熱部材への電力供給が行われるという異常の発生を検出することができる画像形成装置を提供することにある。
【手続補正６】
【補正対象書類名】明細書
【補正対象項目名】００１９
【補正方法】変更
【補正の内容】
【００１９】
本発明は、上記目的を達成するため、第１の定着部材と第２の定着部材との間に形成されるニップ部で、転写材を加熱、加圧しながら狭持搬送する定着装置と、前記第１の定着部材と前記第２の定着部材とが互いに押し付けられる加圧状態と前記加圧状態が解除される加圧解除状態とを選択的に切り換える加圧手段と、前記加圧手段が前記加圧状態にあることを検出する加圧状態検出手段と、転写材を加熱する前記定着装置の発熱部材の温度を検出する温度検出手段と、前記発熱部材へ電力を供給する電力供給手段と、前記加圧手段に前記加圧状態への切り換え指示が行われ、前記加圧状態検出手段により前記加圧手段が前記加圧状態にあることが検出されている状態で、前記電力供給手段から前記発熱部材へ電力供給開始が行われて所定時間が経過した後に、前記温度検出手段により検出される温度が所定温度を越えている場合は、前記電力供給手段から前記発熱部材への電力供給を停止させる制御手段とを備えることを特徴とする画像形成装置を提供する。
【手続補正７】
【補正対象書類名】明細書
【補正対象項目名】００２０
【補正方法】変更
【補正の内容】
【００２０】
本発明は、上記目的を達成するため、第１の定着部材と第２の定着部材との間に形成されるニップ部で、転写材を加熱、加圧しながら狭持搬送する定着装置と、前記第１の定着部材と前記第２の定着部材とが互いに押し付けられる加圧状態と前記定着装置の長手方向の一端側から加圧状態を解除した加圧解除状態とを選択的に切り換える加圧手段と、前記加圧手段が前記加圧状態にあることを検出する加圧状態検出手段と、転写材を加熱する前記定着装置の発熱部材の長手方向における異なる複数の位置にそれぞれ配置されている複数の温度センサを有する温度検出手段と、前記発熱部材へ電力を供給する電力供給手段と、前記加圧手段に前記加圧状態への切り換え指示が行われ、前記加圧状態検出手段により前記加圧手段が前記加圧状態にあることが検出されている状態で、前記複数の温度センサのそれぞれの検出温度の温度差が所定値を超えると、前記電力供給手段から前記発熱部材への電力供給を停止させる制御手段と、を有することを特徴とする画像形成装置を提供する。
【手続補正８】
【補正対象書類名】明細書
【補正対象項目名】００３６
【補正方法】変更
【補正の内容】
【００３６】
上記二次転写部３４においてトナー像が転写された転写材Ｐは、定着装置３００に送られる。定着装置３００は、定着ベルト（第１の定着部材）３０１および加圧ローラ（第２の定着部材）３０２を有する。定着ベルト３０１および加圧ローラ３０２は、互いに所定の圧力で押し付けられ、それらの間には、転写材Ｐを狭持しながら搬送するためのニップ部３２０が形成される。上記転写材Ｐが上記ニップ部３２０を通過する際に、転写材Ｐは、加熱、加圧され、転写材Ｐ上のトナー像は、定着画像として転写材Ｐ上に定着される。この定着装置３００の詳細の構成については、後述する。
【手続補正９】
【補正対象書類名】明細書
【補正対象項目名】００４３
【補正方法】変更
【補正の内容】
【００４３】
ドライバ群２０７は、給紙ローラ、搬送ローラ、定着装置３００の加圧ローラなどのモータを駆動するためのモータドライバ、クラッチ、ソレノイドなどを駆動するためのドライバなどの各種ドライバを含む。ドライバ群２０７に含まれる各種ドライバは、それぞれ、ＣＰＵ２０１からの制御信号に基づいて対応するモータ、クラッチ、ソレノイドなどを駆動する。
【手続補正１０】
【補正対象書類名】明細書
【補正対象項目名】００４４
【補正方法】変更
【補正の内容】
【００４４】
センサ群２０８は、各種センサを含む。例えば、搬送路上の転写材Ｐの有無を検出する
ための紙検出センサ、各現像装置４ａ〜４ｄ内のトナー量を検出するためのトナーセンサが含まれる。また、モータなどの各負荷のホームポジションを検出するためのポジションセンサ、ドアの開閉状態などを検出するためのセンサなどが含まれる。センサ群２０８の各種センサの出力は、Ｉ／Ｏ回路２０６を介してＣＰＵ２０１に入力される。
【手続補正１１】
【補正対象書類名】明細書
【補正対象項目名】００８８
【補正方法】変更
【補正の内容】
【００８８】
次いで、制御部２００は、プリント動作を停止する（ステップＳ８）。そして、制御部２００は、定着ベルト３０１が加圧されていない旨を示すエラー情報を操作パネル１５０に表示し（ステップＳ９）、本処理を終了する。
【手続補正１２】
【補正対象書類名】明細書
【補正対象項目名】０１０４
【補正方法】変更
【補正の内容】
【０１０４】
上記ステップＳ１５において最大温度差ΔＴｍａｘが閾値ΔＴ＿ｔｈ以下でないと判定された場合、制御部２００は、上記トライアック７０１をオフし、ヒータ３０５への電力供給を停止させる（ステップＳ１７）。すなわち、ヒータ３０５への通電が強制的に停止される。そして、制御部２００は、上記加圧機構２１０において定着ベルト３０１の加圧が長手方向に均一に行われないような異常が発生していると判断してプリント動作を停止する（ステップＳ１８）。次いで、制御部２００は、上記加圧機構２１０において定着ベルト３０１の加圧が長手方向に均一に行われないような異常が発生している旨を示すエラー情報を操作パネル１５０に表示し（ステップＳ１９）、本処理を終了する。